(57)【要約】【課題】加飾部分が蓋体から部分的にでも剥がれたり、また脱落したりすることがないという要請に応えることができ、かつまた購買者が好みに応じて外観を選ぶことができる自由度を高めることが可能な化粧料容器を提供する。【解決手段】蓋体６にこれを覆って交換可能に設けられる交換用カバー７と、交換用カバーから突出させて設けられた可撓変形自在な弾性片１８と、弾性片に形成された入隅部２０と、蓋体にヒンジブロック１３へわたって上下方向に形成され、弾性片が挿抜自在に挿入される縦スリット２４と、縦スリット内に形成され、入隅部と上下方向に離脱不能に、かつ水平方向に係脱自在に係合される出隅部２７と、ヒンジブロックに縦スリットと連通させて水平方向に形成され、出隅部から入隅部を離脱させるべく、弾性片に水平方向の押圧操作力を加えるための横スリット２５とを備えた。【選択図】          図１
2004154283.tif 000002
【特許請求の範囲】
【請求項１】
容器本体を開閉する蓋体に、これより一体的に垂下させて当該蓋体を該容器本体に回動自在に連結するヒンジ部を設けた化粧料容器において、
上記蓋体にこれを覆って交換可能に設けられる交換用カバーと、該交換用カバーから突出させて設けられた可撓変形自在な弾性片と、該弾性片に形成された入隅部と、上記蓋体に上記ヒンジ部へわたって上下方向に形成され、上記弾性片が挿抜自在に挿入される縦スリットと、該縦スリット内に形成され、上記入隅部と上下方向に離脱不能に、かつ水平方向に係脱自在に係合される出隅部と、上記ヒンジ部に上記縦スリットと連通させて水平方向に形成され、上記出隅部から上記入隅部を離脱させるべく、上記弾性片に水平方向の押圧操作力を加えるための横スリットとを備えたことを特徴とする化粧料容器。
【請求項２】
前記弾性片と前記横スリットとの間には、該弾性片を前記縦スリットに沿って持ち上げるために、押圧操作力の一部を持ち上げ力に変換するくさび状隙間が形成されていることを特徴とする請求項１に記載の化粧料容器。
【発明の詳細な説明】
【０００１】
【発明の属する技術分野】
本発明は、加飾部分が蓋体から部分的にでも剥がれたり、また脱落したりすることがないという要請に応えることができ、かつまた購買者が好みに応じて外観を選ぶことができる自由度を高めることが可能な化粧料容器に関する。
【０００２】
【従来の技術】
一般に化粧料容器は、化粧料を収納する容器本体と、この容器本体を開いたり閉じたりする蓋体とを備えて構成されている。そして化粧料容器の外観をなすこれら容器本体や蓋体に対しては、そのデザイン性を高めるために、従来からさまざまな方法によって加飾が施されている。例えば、スパッタリングなどによって表面処理を行ったり、転写シートを用いて文字や模様などを転写したり、あるいは模様などを付した上に透明・半透明の層を重ねたりするなどして、容器本体や蓋体に装飾を施すようにしていた。
【０００３】
なお、本願出願人は、関連する先行出願として、特願２００１−２４９０００を出願している。
【０００４】
【発明が解決しようとする課題】
ところで、従来の化粧料容器にあっては、製品としての化粧料容器を高級感溢れる高い品質で提供するという目的で、加飾部分が容器本体や蓋体から部分的にでも剥がれたり、また脱落したりすることがないように、上記いずれの加飾方法にあっても、容器本体や蓋体に対し加飾部分が一体不可分となるように互いに分離不能に一体的に形成しなければならないという要請があった。
【０００５】
このような要請は反面、化粧料容器の外観が生産者の選定したデザインに限定されることを意味し、購買者が化粧料容器の意匠的外観を、好みに応じて自由に選べるようにすることを妨げていた。このため、購買者は気に入ったデザインの化粧料容器を見つけることができず、これが買い控えの一因になっていたと考えられる。
【０００６】
本発明は上記従来の課題に鑑みて創案されたものであって、特に蓋体に対して、加飾部分が部分的にでも剥がれたり、また脱落したりすることがないという要請に応えることができ、かつまた購買者が好みに応じて外観を選ぶことができる自由度を高めることが可能な化粧料容器を提供することを目的とする。
【０００７】
【課題を解決するための手段】
本発明にかかる化粧料容器は、容器本体を開閉する蓋体に、これより一体的に垂下させて当該蓋体を該容器本体に回動自在に連結するヒンジ部を設けた化粧料容器において、上記蓋体にこれを覆って交換可能に設けられる交換用カバーと、該交換用カバーから突出させて設けられた可撓変形自在な弾性片と、該弾性片に形成された入隅部と、上記蓋体に上記ヒンジ部へわたって上下方向に形成され、上記弾性片が挿抜自在に挿入される縦スリットと、該縦スリット内に形成され、上記入隅部と上下方向に離脱不能に、かつ水平方向に係脱自在に係合される出隅部と、上記ヒンジ部に上記縦スリットと連通させて水平方向に形成され、上記出隅部から上記入隅部を離脱させるべく、上記弾性片に水平方向の押圧操作力を加えるための横スリットとを備えたことを特徴とする。これにより、加飾部分が蓋体から部分的にでも剥がれたり、また脱落したりすることがないという要請に応えることができ、かつまた購買者が好みに応じて外観を選ぶことができる自由度を高めることが可能となる。
【０００８】
また、前記弾性片と前記横スリットとの間には、該弾性片を前記縦スリットに沿って持ち上げるために、押圧操作力の一部を持ち上げ力に変換するくさび状隙間が形成されていることを特徴とする。これにより、出隅部から入隅部が離脱すると同時に、弾性片を介して交換用カバーが蓋体から持ち上げられ、交換用カバーの交換操作性が向上する。
【０００９】
【発明の実施の形態】
以下に、本発明にかかる化粧料容器の好適な一実施形態を、添付図面を参照して詳細に説明する。本実施形態にかかる化粧料容器１は図１〜図４に示すように、収納凹部２が形成された皿状の合成樹脂製容器本体３と、容器本体３の前後方向後端にヒンジ４を介して上下方向へ回動自在に連結されて容器本体３を開閉するとともに、容器本体３の前端にフック５を介して係脱自在に係合されて当該容器本体３の閉止状態を維持する板体状の合成樹脂製の蓋体６と、蓋体６に着脱自在に設けられ、交換可能に蓋体６を覆う板体状の合成樹脂製の交換用カバー７とから主に構成される。
【００１０】
図示例にあっては、これら容器本体３、蓋体６、並びに交換用カバー７は平面外形輪郭が矩形状に形成されるけれども、多角形状や円形状であってもよい。蓋体６の裏面には、鏡８が取り付けられている。
【００１１】
フック５は、容器本体３の前端に形成された凹所９内に突設されたフック用突起１０と、蓋体６の前端から垂下されてフック用突起１０に係脱自在に係合されるフック片１１とから構成される。またヒンジ４は、容器本体３の後端から一対突設されたヒンジ片１２間に、蓋体６の後端から一体的に垂下させたヒンジ部としてのヒンジブロック１３が挟み込まれ、さらにこれらヒンジブロック１３からヒンジ片１２にわたって形成したピン穴１４に、ヒンジピンが挿入されることで構成され、ヒンジブロック１３は、ヒンジピンによりヒンジ片１２を介して容器本体３に回動自在に連結される。
【００１２】
交換用カバー７は、化粧料容器１、本実施形態にあっては蓋体６の意匠的外観を購買者が好みに応じて自由に選べるように、各種のさまざまな加飾が施されたものが用意されるようになっている。これら交換用カバー７に施される加飾部分は、部分的にでも剥がれたり、また脱落したりすることがないように、交換用カバー７に対し一般周知の方法によって、一体不可分に分離不能に一体的に形成される。交換用カバー７は、その外形輪郭が容器本体３の外形輪郭と一致するようにほぼ同じ外形寸法で形成され、蓋体６の上にこれを覆って重ね合わされる。交換用カバー７の材質は合成樹脂製に限らず、金属製であってもよい。
【００１３】
交換用カバー７には、その外周縁から蓋体６側に垂下させて環状の垂下部１５が形成される。フック５側に位置する垂下部１５には、容器本体３の左右幅方向に適宜間隔を隔てて、交換用カバー７の下面７ａ側へ折り返すことで係合突部１６が形成され、この係合突部１６によって角付けされた入隅部１７が形成される。また、交換用カバー７の下面７ａには、ヒンジブロック１３直上位置から下方へ突出させて、水平方向に可撓変形自在な弾性片１８が設けられる。この弾性片１８の下端には、これより蓋体６の前後方向後方へ突出させて係止突起１９が形成され、この係止突起１９によって、弾性片１８には角付けされた入隅部２０が形成される。
【００１４】
他方、蓋体６には、その外周壁６ａから外方へ突出させて、交換用カバー７の垂下部１５が載置される環状のフランジ部２１が形成される。またフック５側に位置する外周壁６ａにはこれを窪ませることで、交換用カバー７の係合突部１６を挿抜自在に挿入するための係合凹部２２が形成され、この係合凹部２２によって、角付けされた出隅部２３が形成される。そして、交換用カバー７を蓋体６のフック５側から装着して係合突部１６を係合凹部２２に差し込むことにより、入隅部１７が出隅部２３に対して上下方向へは離脱不能にかつ水平方向へは係脱自在に係合されるようになっている。
【００１５】
また、蓋体６にはヒンジブロック１３へわたって上下方向に、弾性片１８が挿抜自在に挿入される縦スリット２４が形成されるとともに、ヒンジブロック１３には、縦スリット２４と連通させて水平方向に横スリット２５が形成され、これら縦スリット２４および横スリット２５によりヒンジブロック１３には、Ｌ字状の通孔が形成される。縦スリット２４内には、その内面から蓋体６の前後方向前方へ弾性片１８の係止突起１９に向かって突出させて凸状リブ２６が形成され、この凸状リブ２６により、角付けされた入隅部２０に向かい合う出隅部２７が形成される。そしてこの出隅部２７は、縦スリット２４内に挿入された弾性片１８の係止突起１９が凸状リブ２６下に係止されることにより、入隅部２０と上下方向に離脱不能にかつ水平方向に係脱自在に係合される。
【００１６】
横スリット２５は、出隅部２７から入隅部２０を離脱させるべく、弾性片１８に水平方向の押圧操作力を加えるために備えられ、縦スリット２４内に挿入された弾性片１８の係止突起１９が達する位置において当該縦スリット２４と連通される。そしてこの横スリット２５には、弾性片１８を押圧操作するためのコインなどの押圧操作具Ｐが挿入され、挿入した押圧操作具Ｐによって弾性片１８を水平方向に変形させることができるようになっている。
【００１７】
さらに、係止突起１９および凸状リブ２６にあっては図２に示すように、係止突起１９が凸状リブ２６を乗り越える過程で互いに向かい合う面が、その乗り越えをスムーズにするためにテーパ面２８，２９で形成される。そしてまた、係止突起１９のテーパ面２８と横スリット２５の底面２５ａとの間には、弾性片１８を縦スリット２４に沿って持ち上げるために、横スリット２５の奥に向かって、すなわち押圧操作具Ｐの挿入方向に沿って順次狭められ、横スリット２５内に挿入される押圧操作具Ｐが差し入れられることによりその押圧操作力の一部を持ち上げ力に変換するくさび状の隙間Ｇが形成される。
【００１８】
本実施形態にかかる化粧料容器１の作用について説明すると、化粧料容器１を購入した購買者が蓋体６に装着されている交換用カバー７を、他のデザインの新たな交換用カバー７に交換する際には図１に示すように、ヒンジブロック１３内で凸状リブ２６と係止状態にある弾性片１８の係止突起１９に向かって、横スリット２５内に押圧操作具Ｐを挿入する。そして押圧操作具Ｐで係止突起１９を押圧操作すると図３に示すように、弾性片１８が縦スリット２４内で水平方向に可撓変形され、この可撓変形に伴って入隅部２０が出隅部２７から離脱されて蓋体６に対する交換用カバー７の係止状態が解除されるとともに、これと同時に、係止突起１９のテーパ面２８と横スリット２５の底面２５ａとの間のくさび状隙間Ｇに差し込まれた押圧操作具Ｐが弾性片１７を上方に持ち上げる作用も発揮し、これら入隅部２０および出隅部２７の係合解除と、弾性片１８の持ち上げとによって交換用カバー７は、図４に示すように蓋体６から跳ね上げられるようにして分離される。
【００１９】
その後は、交換用カバー７を蓋体６の水平方向前方へ押し出せば、係合突部１６を係合凹部２２から離脱させることができ、これにより交換用カバー７を蓋体６から取り外すことができる。
【００２０】
次いで、新たな交換用カバー７を蓋体６に装着する際には、蓋体６前端側において係合突部１６を係合凹部２２に差し入れて係合させる一方で、蓋体６後端側においては、弾性片１８を縦スリット２４内に挿入してそのまま交換用カバー７を蓋体６に向かって押し付ければ、弾性片１８の可撓変形を伴って係止突起１９が凸状リブ２６を乗り越えると同時に入隅部２０が出隅部２７と係合し、これにより新しい交換用カバー７を蓋体６に重ね合わせて取り付けることができる。
【００２１】
以上説明したように本実施形態にかかる化粧料容器１にあっては、蓋体６にこれを覆って交換可能に設けられる交換用カバー７と、交換用カバー７から突出させて設けられた可撓変形自在な弾性片１８と、弾性片１８に形成された入隅部２０と、蓋体６にヒンジブロック１３へわたって上下方向に形成され、弾性片１８が挿抜自在に挿入される縦スリット２４と、縦スリット２４内に形成され、入隅部２０と上下方向に離脱不能に、かつ水平方向に係脱自在に係合される出隅部２７と、ヒンジブロック１３に縦スリット２４と連通させて水平方向に形成され、出隅部２７から入隅部２０を離脱させるべく、弾性片１８に水平方向の押圧操作力を加えるための横スリット２５とを備えたので、化粧料容器１の外観が生産者の選定したデザインに限定されることがなく、化粧料容器１として、購買者が好みに応じて外観を自由度高く選ぶことができ、これにより購買意欲を高め得るものとすることができる。
【００２２】
また、交換用カバー７としては、従来の蓋体などと同様に、加飾部分を一体不可分に互いに分離不能に一体的に形成すればよく、従って加飾部分が交換用カバー７から部分的にでも剥がれたり、また脱落したりすることがなくて、製品としての化粧料容器１を、従来と遜色のない高級感溢れる高い品質で提供することができる。
【００２３】
また、係合突部１６と係合凹部２２、並びに係止突起１９と凸状リブ２６、特に可撓変形される弾性片１８の係止突起１９とこれに係合する凸状リブ２６とを、上下方向には離脱不能に角付けされた入隅部１７，２０と出隅部２３，２７とで係脱自在に係合したことにより、交換用カバー７を蓋体６にしっかりと取り付け固定することができ、落下などによって化粧料容器１に大きな衝撃が加わったとしても、これによって交換用カバー７が蓋体６から簡単に脱落することを確実に防止することができる。このように交換用カバー７を蓋体６に安定的保持できる一方で、蓋体６に対する交換用カバー７の押し付け操作や、弾性片１８を可撓変形させる横スリット２５からの押圧操作によって係止突起１９と凸状リブ２６とを係脱させることができ、簡単に交換用カバー７の交換を行うことができる。
【００２４】
特に、係止突起１９のテーパ面２８と横スリット２５の底面２５ａとの間に、弾性片１８を縦スリット２４に沿って持ち上げるために、押圧操作力の一部を持ち上げ力に変換するくさび状隙間Ｇを形成したので、交換用カバー７を取り外す際には、このくさび状隙間Ｇを利用した弾性片１８の持ち上げによって、交換用カバー７を蓋体６に対して跳ね上げることができ、これにより使用者は、交換用カバー７が蓋体６から離脱したことを知得できるとともに、交換用カバー７が蓋体６から浮き上がった状態となるので、これら両者が重ね合わされている場合よりも、容易に交換用カバー７を蓋体６から取り外すことができる。
【００２５】
また、係止突起１９のテーパ面２８は、凸状リブ２６との係止を円滑化する機能も併せ持ち、交換用カバー７の装着操作を円滑化することができる。さらに、ヒンジブロック１３を利用してこれに縦スリット２４および横スリット２５を形成するようにしていて、交換用カバー７の交換操作のために化粧料容器１の外形寸法が大きくなってしまうことを防止することができる。また、縦スリット２４を交換用カバー７に覆われる蓋体６に形成し、横スリット２５をヒンジブロック１３に形成するようにしたので、交換操作に利用されるこれらスリット２４，２５が目立つことはなく、化粧料容器１の外観を良好に保つことができる。
【００２６】
図５および図６には、上記実施形態の変形例が示されている。この変形例では、ヒンジ４側の垂下部１５に沿わせてこれと一体的に弾性片１８が形成されている。このような変形例にあっても、上記実施形態と同様の作用・効果を奏することはもちろんである。特にこの変形例にあっては、係合解除に必要な押圧操作具Ｐの挿入深さを浅くすることができて操作性を向上できるとともに、交換用カバー７を成形するための金型形状を簡略化することができる。
【００２７】
【発明の効果】
以上要するに、本発明にかかる化粧料容器にあっては、加飾部分が蓋体から部分的にでも剥がれたり、また脱落したりすることがないという要請に応えることができ、かつまた購買者が好みに応じて外観を選ぶことができる自由度を高めることができる。
【図面の簡単な説明】
【図１】本発明にかかる化粧料容器の好適な一実施形態を示す側断面図である。
【図２】図１の化粧料容器の分解斜視断面図である。
【図３】図１の化粧料容器において、交換用カバーを取り外す最初の段階を示すヒンジブロック周辺の部分拡大側断面図である。
【図４】図１の化粧料容器において、交換用カバーを取り外す最後の段階を示すヒンジブロック周辺の部分拡大側断面図である。
【図５】本発明にかかる化粧料容器の変形例を示す、ヒンジブロック周辺の部分拡大側断面図である。
【図６】図５の化粧料容器のヒンジブロック周辺を示す、部分拡大分解斜視断面図である。
【符号の説明】
１  化粧料容器                      ３  容器本体
６  蓋体                            ７  交換用カバー
１３  ヒンジブロック                １８  弾性片
２０  入隅部                          ２４  縦スリット
２５  横スリット                                      ２７  出隅部
Ｇ  くさび状隙間
【図１】
2004154283.tif 000003
【図２】
2004154283.tif 000004
【図３】
2004154283.tif 000005
【図４】
2004154283.tif 000006
【図５】
2004154283.tif 000007
【図６】
2004154283.tif 000008